(57)【要約】【課題】従来のあご紐付の帽子において、あご紐を交換する際は、縫製部をほどいたり、再度縫製する必要があり、あご紐の交換に手間がかかっていた。【解決手段】通学や運動用のあご紐付帽子９・１３において、あご紐取付具１を帽子に設けたあご紐取付具１の挿入口１４から抜き差しするだけで、あご紐８が容易に脱着でき、あご紐８を簡単に交換することができる。【選択図】図１
2018178338.tif 000002
【特許請求の範囲】
【請求項１】
通学や運動用のあご紐付帽子（９・１３）において、あご紐（８）が容易に脱着でき、あご紐（８）を簡単に交換することができることを特徴とする帽子用あご紐取付具。
【請求項２】
前記あご紐（８）がゴム紐であることを特徴とする請求項１に記載の帽子用あご紐取付具。
【請求項３】
前記あご紐付帽子（９・１３）の底部の左右に、前記あご紐取付具（１）の挿入口（１０・１４）を設けたことを特徴とする請求項１又は２に記載の帽子用あご紐取付具。
【発明の詳細な説明】
【技術分野】
【０００１】  本発明は、伸びたり切れたりする、通学、運動帽子のあご紐を針や糸、ミシン等を使用せずに簡単に取替えられるあご紐の取付具に関するものである。
【背景技術】
【０００２】  従来のあご紐付きの帽子においては、あご紐を帽子に縫い付けて固定したものがある。また、あご紐を簡単に交換することができるようにしたものもある。（例えば、特許文献１参照。）
【先行技術文献】
【特許文献】
【０００３】
【特許文献１】実用新案登録第３０６９４２８号
【発明の概要】
【発明が解決しようとする課題】
【０００４】  従来、通学、運動帽子のあご紐は耳上左右両側部に縫い付けているため、あご紐が損傷したり切断した場合、あご紐を交換するには、縫製部をほどき、あご紐を交換した後、再度縫製する必要がある。
また、特許文献１の考案の発明では、あご紐取付用部品の穴が外部に取り出せるように上部に湾曲して袋状に縫合しており、通常時は、あご紐の結び目を前記袋状部に押し込んでいる。あご紐を交換する場合、損傷したあご紐を引張るとあご紐取付用部品の穴の部分が外部に取り出せ、損傷したゴム紐を取り除き、新しいゴム紐をその穴に結び付けて袋状部の中へ差し込めば取替できるようになっている。しかし、該あご紐取付用部品は、強く引っ張ると袋状部から外れる恐れがあったり、ゴム紐の結び目が、頭部に当たり違和感があったり痛みを生じる恐れがあるという課題がある。
【課題を解決するための手段】
【０００５】  本発明は前記課題を解決しようとするもので、通学や運動用のあご紐付帽子において、あご紐が容易に脱着でき、あご紐を簡単に交換することができ、前記あご紐がゴム紐であり、前記帽子の底部の左右に、前記あご紐取付具の挿入口を設けたことで前記課題を解決することができる。
【発明の効果】
【０００６】  通学、運動帽子の内側にあご紐を付けた取付具を差込み装着すればあご紐の取付け、取替えが、針や糸、ミシンを使わず簡単に行え、あご紐は布製でもゴム製でも使用可能で、交換が容易である、また取付部にあご紐の結び目が無いので帽子を被った際に違和感や痛みが無い。
【図面の簡単な説明】
【０００７】
【図１】本発明のあご紐取付具の平面図
【図２】図１のＡ部拡大図面
【図３】本発明のあご紐取付具に平あご紐を装着している図面
【図４】本発明のあご紐取付具に平あご紐を装着している図面
【図５】本発明のあご紐取付具に平あご紐を装着している図面
【図６】通学帽子に本発明のあご紐取付具を装着している図面
【図７】通学帽子に本発明のあご紐取付具を装着している図面
【図８】通学帽子に本発明のあご紐取付具を装着している図面
【図９】通学帽子に本発明のあご紐取付具を装着した図面
【図１０】運動帽子に本発明のあご紐取付具を装着している図面
【図１１】運動帽子に本発明のあご紐取付具を装着している図面
【図１２】運動帽子に本発明のあご紐取付具を装着している図面
【図１３】運動帽子に本発明のあご紐取付具を装着した図面
【発明を実施するための形態】
【０００８】  以下、本発明を図１〜図１３に基づき詳述する。図１は本発明のあご紐取付具１の平面図であって、長方形をした平板状のプレート２に略長方形状をした開口３ａ・３ｂと、あご紐固定穴４を設けている。前記あご紐取付具１は、樹脂等の軟らかい素材を使用するため、怪我の恐れが無く、金属アレルギーの心配も無いものである。
【０００９】  図２は図１のＡ矢視部の拡大図で、平あご紐固定部５は先端部が尖っていて平あご紐８を該平あご紐固定部５の先端部に差込んで固定する。又、丸あご紐８を使用する場合は、丸あご紐８を略半長円形をした丸あご紐固定箇所６の一方に差し込み、略楔状をした丸あご紐係止部７で咬止し、丸あご紐８を該平あご紐固定部５を半周させ、他方の丸あご紐固定箇所６に差し込み、略楔状をした丸あご紐係止部７で咬止させることで、丸あご紐８を固定する。
【００１０】  図３はあご紐取付具１にあご紐８を装着している図であり、まず開口３ａにあご紐８を通し次に開口３ｂ、あご紐固定穴４へと順番にあご紐８を挿通する。
【００１１】  図４は図３で通したあご紐８を最初に通した開口３ａにあご紐８をもう一度挿通する。
【００１２】  図５は図４で挿通したあご紐８を引き、平あご紐固定部５の先端部の尖った部分にあご紐８を差し込んで固定するようにしたものである。
【００１３】  図６〜図９は通学帽子９のクラウン（帽子の頭に被る部分）とビン皮１２（帽子の内側のおでこが触れる所にある布）の縫製部に、あご紐８を挿入するための挿入口１０を縫わずに開けておき、該挿入口１０からあご紐８を差込んでいく。最初にあご紐８を通し、続いて図３、図４、図５の手順に沿ってあご紐取付具１にあご紐８を装着する。ビン皮１２の内側に、あご紐取付具１が脱落することを防止する為に、あご紐取付具１の左右固定用の係止糸１１ａ、１１ｂを配設し、該係止糸１１ａ、１１ｂにあご紐取付具１の前記プレート２の左右を差し込んで係止するようにしている。
【００１４】  図７は最初に通したあご紐８にあご紐取付具１を装着した状態の図である。
【００１５】  図８は図７であご紐８を装着したあご紐取付具１を、前記プレート２の短辺の一端側を係止糸１１ａに差込み、次に他端側１１ｂに差込んでいる状態を示す図である。
【００１６】  図９はあご紐取付具１のプレート２の両端部を、係止糸１１ａ、１１ｂに差込んで固定が完了した状態を示す図である。
【００１７】  図１０は運動帽子１３（赤白帽等）の赤地布と白地布の縫目１５に、あご紐取付具１が挿入可能な挿入口１４を縫わずに開けておき、該挿入口１４よりあご紐８を装着したあご紐取付具１のプレート２の短辺を垂直状に運動帽子１３の内部に差込んでいる状態を示す図である。
【００１８】  図１１はあご紐８を装着したあご紐取付具１を、運動帽子１３の挿入口１４から運動帽子１３の内部に差込んだ状態を示す図である。
【００１９】  図１２は図１１で差込んだあご紐取付具１を水平にしている状態を示す図である。
【００２０】  図１３は運動帽子１３の内部に差込んだあご紐取付具１を、運動帽子１３の縫目１５に添って水平にして装着が完了した状態を示す図である。
尚、あご紐８の取替要領については、平あご紐でも丸あご紐でも、いずれも図６〜図１３に示す取替要領と同じである。
【符号の説明】
【００２１】１  あご紐取付具
２  プレート
３ａ、３ｂ  開口
４  あご紐固定穴
５  平あご紐固定部
６  丸あご紐固定箇所
７  丸あご紐係止部
８  あご紐
９  通学帽子
１０  挿入口
１１ａ、１１ｂ  係止糸
１２  ビン皮
１３  運動帽子
１４  挿入口
１５  縫目
【図１】
2018178338.tif 000003
【図２】
2018178338.tif 000004
【図３】
2018178338.tif 000005
【図４】
2018178338.tif 000006
【図５】
2018178338.tif 000007
【図６】
2018178338.tif 000008
【図７】
2018178338.tif 000009
【図８】
2018178338.tif 000010
【図９】
2018178338.tif 000011
【図１０】
2018178338.tif 000012
【図１１】
2018178338.tif 000013
【図１２】
2018178338.tif 000014
【図１３】
2018178338.tif 000015